(57)【要約】【課題】キャスター付中重量物の底面等を損傷することがなく、また輸送時や保管時のスペースの増大や、森林伐採による地球の温暖化や環境破壊を招かないスロープ部材を提供する。【解決手段】パレット上に搭載されキャスターを有する機器を梱包する梱包箱において、梱包箱本体は下箱と上箱とからなる箱本体と、該機器と該箱本体との間に介在する緩衝体とからなり、該梱包箱から該機器を取り出す際に用いるスロープ部材またはスロープ部材原体を該緩衝材の凹部に差し込むか、および／または段部に係止したことによって固定する【選択図】図４
2007191168.tif 000002
【特許請求の範囲】
【請求項１】
パレット上に搭載されキャスターを有する機器を梱包する梱包箱において、梱包箱本体は下箱と上箱とからなる箱本体と、該機器と該箱本体との間に介在する緩衝体とからなり、該梱包箱から該機器を取り出す際に用いるスロープ部材またはスロープ部材原体を該緩衝材の凹部に差し込むか、および／または段部に係止したことによって固定したことを特徴とする梱包箱。
【請求項２】
前記スロープ部材またはスロープ部材原体は、平板形状、側面くさび形状、根端部を折り曲げた後に側面くさび形状になる平板形状、２辺を折り曲げた後に側面くさび形状になる平板形状、または３辺を折り曲げた後に側面くさび形状になる平板形状であることを特徴とする請求項１に記載の梱包箱。
【請求項３】
前記緩衝体は棒状体であって、前記箱本体内の上部と下部に左右一対配置され、前記スロープ部材またはスロープ部材原体は、左右一対の該上部緩衝体に差し渡され、両端または一端を左右一対の該上部緩衝体の凹部に差し込むか、および／または段部に係止したことによって固定したことを特徴とする請求項１に記載の梱包箱。
【請求項４】
前記スロープ部材またはスロープ部材原体は、該上下一対の上部緩衝体に差し渡され、両端または一端を該上部緩衝体の凹部と該下部緩衝体凹部に差し込むか、および／または段部に係止し固定したことを特徴とする請求項１に記載の梱包箱。
【請求項５】
パレット上に搭載されキャスターを有する機器を梱包する梱包箱において、梱包箱本体は下箱と上箱とからなる箱本体と、該機器と該箱本体との間に介在する緩衝体とからなり、該梱包箱の側面板の所定箇所を切り取りで囲み、該切り取り線で囲まれた箇所をスロープ部材またはスロープ部材原体としたことを特徴とする梱包箱。
【請求項６】
該切り取り線は、Ｖ溝形状、またはミシン目形状であることを特徴とする請求項５に記載の梱包箱。
【請求項７】
該スロープ部材は、リサイクルが可能な材料を用いたことを特徴とする請求項１〜請求項６に記載の梱包箱
【発明の詳細な説明】
【技術分野】
【０００１】
本発明は、複写機等のＯＡ機器を始めとするキャスター付中重量物をパレットへの荷積みやパレットからの荷降ろし作業に用いるスロープ部材を組み込んだ梱包箱に関するものである。
【背景技術】
【０００２】
従来より、図１に示したように、重量物６の底面には、移動のためのキャスターが取り付けられ、積載・荷降ろし時に、根止め材として台木４にボルト７で固定されていた三角ブロック５Ａ、５Ｂを取り外しスロープ材として用いることが提案されている（特許文献１）。別の従来例として、図２に示したように、木製の梱包箱４の側壁２１が、ヒンジ２２を介してスロープ材になることが提案されている（特許文献２）。また別の従来例として、図３に示したように、パレット１にスロープ部材６が収納され、パレットから荷物をおろす際は引き出して使うことが提案されている（特許文献３）。
【０００３】
【特許文献１】特開平８−２０７９３５号公報
【特許文献２】実開平５−００３１２９号公報
【特許文献３】特開２００２−２２５８７１号公報
【発明の開示】
【発明が解決しようとする課題】
【０００４】
しかしながら、三角柱ブロックを根止め材として用いた場合や、パレットにスロープ部材を収納した場合、パレットの大きさには制約があるため、スロープ部材の長さが制約され、スロープの角度を小さくできないのでキャスター付中重量物の底面等を損傷させたりすることがあった。
スロープ部材が板材であるために割れや反りが発生することがあった。
底面等を損傷させないためにはスロープの角度を小さくすることが必要で、その結果、スロープ部材の大型化を招き、コストアップや、輸送時や保管時のスペースの増大を招くという問題があった。また、木製の側壁をスロープ部材に用いる場合、段ボールや紙器に比べ重量が重くなり、輸送時は燃費の悪化を招き、また森林伐採による地球の温暖化や環境破壊を招くという問題があり、同じ素材に繰り返しリサイクル可能な材料を使用することが望まれている。
【課題を解決するための手段】
【０００５】
パレット上に搭載されキャスターを有する機器を梱包する梱包箱において、梱包箱本体は下箱と上箱とからなる箱本体と、該機器と該箱本体との間に介在する緩衝体とからなり、該梱包箱から該機器を取り出す際に用いるスロープ部材またはスロープ部材原体を該緩衝材の凹部に差し込むか、および／または段部に係止したことによって固定したことを特徴とする。
【０００６】
また本発明の前記スロープ部材またはスロープ部材原体は、平板形状、側面くさび形状、根端部を折り曲げた後に側面くさび形状になる平板形状、２辺を折り曲げた後に側面くさび形状になる平板形状、または３辺を折り曲げた後に側面くさび形状になる平板形状であることが好ましい。
さらに前記緩衝体は棒状体であって、前記箱本体内の上部と下部に左右一対配置され、前記スロープ部材またはスロープ部材原体は、左右一対の該上部緩衝体に差し渡され、両端または一端を左右一対の該上部緩衝体の凹部に差し込むか、および／または段部に係止したことによって固定することが好ましい。
さらにまた前記スロープ部材またはスロープ部材原体は、該上下一対の上部緩衝体に差し渡され、両端または一端を該上部緩衝体の凹部と該下部緩衝体凹部に差し込むか、および／または段部に係止し固定することが好ましい。
【０００７】
パレット上に搭載されキャスターを有する機器を梱包する梱包箱において、梱包箱本体は下箱と上箱とからなる箱本体と、該機器と該箱本体との間に介在する緩衝体とからなり、該梱包箱の側面板の所定箇所を切り取りで囲み、該切り取り線で囲まれた箇所をスロープ部材またはスロープ部材原体としたことを特徴とする。
【０００８】
また該切り取り線は、Ｖ溝形状、またはミシン目形状であることが好ましい。さらに、スロープ部材は、段ボールや紙管材といったリサイクルが可能な材料を用いることが好ましい。
【発明の効果】
【０００９】
パレット上に搭載されキャスターを有する機器を梱包する梱包箱において、
上記構成により、該梱包箱から該機器を取り出す際に用いるスロープ部材またはスロープ部材原体を該緩衝材の凹部に差し込むか、および／または段部に係止しているため、従来の梱包箱と外観が略同等の大きさの梱包箱にすることができる。
または該梱包箱の側面板の所定箇所を切り取りで囲み、該切り取り線で囲まれた箇所をスロープ部材またはスロープ部材原体とするため、コストアップが僅かであること、また従来と同等の大きさの梱包箱にすることができる。
さらにまた、スロープ部材やスロープ部材原体には繰返しリサイクル可能な段ボールや紙管材といった材料を用いるため、新たなパルプを用いることがなく森林破壊を招かず環境に優しい方法である。
【実施例１】
【００１０】
以下、図面を参照して本発明の実施例について説明する。
図４は本発明に係る梱包箱の一例を示している。図４ａは図４の断面を示し、図４ｂはスロープ部材４０の６面図を示したものである。被キャスター有する機器（以下「被梱包品」と云う）１０は、約３０ｋｇ〜約１２０ｋｇまでの複写機や、複写機に付属するフィニシャーと呼ばれる後処理装置などのＯＡ機器である。該被梱包品１０の底面には、移動を容易にするためのキャスターと、据付・設置をするためのアジャスター（図示せず）が設けられている。該被梱包品１０を梱包するための梱包箱の構成は、パレット７０と該パレット７０の上に、四方に壁面を有する段ボール製の下箱３０があり、該下箱３０の上に発泡スチロールや発泡ポリエチレン等の樹脂発泡体、または段ボールや紙管材からなる緩衝材６０、６１を配設している。該緩衝材６０、６１の上部に被梱包品１０を配設している。該被梱包品１０の上部に前記樹脂発泡体や前記段ボールからなる緩衝材６２、６３を配設し、段ボール製の上箱２０を上方から被せている。
更に付属部品を該梱包箱に同梱する場合、該付属部品を収納した段ボールからなる同梱箱（図示せず）を、該緩衝材６２、６３と該上箱２０の間に形成される空間に収納しても良い。
【００１１】
図４、図４ａに示したように、該被梱包品１０を荷積み、荷降ろしの際に用いる側面くさび状のスロープ部材４０は、紙管材と呼ばれる厚紙を側面くさび形状に成形したものである。該スロープ部材４０は、前記上部緩衝材６２、６３と該上箱２０との間に形成された空間に収納する。該スロープ部材４０の端部４０ａは、前記緩衝材６２の凹部６２ａに差込まれ、該スロープ部材４０のもう一方の端部４０ｂは、前記緩衝材６３の段部６３ａに係止されている。該スロープ部材を、梱包時は梱包箱の上部から荷重に耐えうるような補強材として機能するようにしてもよい。
【００１２】
前記スロープ部材４０の形状は、図４ｂの６面図に示したように１方向が側面くさび形状のほか、２方向が側面くさび形状や、３方向が側面くさび形状にしてもよい。また、該被梱包品１０の積み降ろし・積み込む際には、上箱２０を取り除いた後下箱３０の壁面を倒し、該壁面の舌部を該矩形孔４０ｚに差し込み、該スロープ部材４０を固定する。
【実施例２】
【００１３】
図５は本発明に係る梱包箱の他の一例を示している。図５ａは図５の断面Ｂを示し、図５ｂはスロープ部材原体４１の６面図を示し、図５ｃは該スロープ部材原体４１を組上げたスロープ部材４２を示している。
実施例１と異なる点を中心に説明する。該スロープ部材原体４１は段ボールや紙管材からなり、３辺を折り曲げた後に側面くさび形状になる平板形状である。該スロープ部材原体４１は、下部緩衝材６４のスリット部６４ａと、上部緩衝材６６のスリット部６６ａに差し込んで固定される。該スロープ部材原体４１は、使用時に折り曲げ線４１ａ〜４１ｇに沿って折り曲げ、該スロープ部材原体４１の矩形孔４１ｊに凸部４１ｋを、矩形孔４１ｉに凸部４１ｈを差し込み、スリット４１ｍをスリット４１ｌに差し込み、スリット４１ｎをスリット４１ｏに差し込み、側面くさび形状の該スロープ部材４２を得る。
図５に示すように、実施例１と同様に前記被梱包品１０の積み降ろし・積み込む際には、上箱２０を取り除いた後下箱３０の壁面を倒し、該壁面の舌部を、該スロープ部材４２の矩形孔４１ｚに差し込み、該スロープ部材４２を固定する。
【実施例３】
【００１４】
図６は本発明に係る梱包箱の他の一例を示している。図６ａは図６の６面図を示し、図６ｂ〜図６ｄはスロープ部材の使用状態図を示し、図６ｅは上箱２１から切り取ったスロープ部材原体４３の６面図を示し、図６ｆは該スロープ部材原体４３を組上げたスロープ部材４４の６面図を示している。
図６に示すように、パレット７０上に被梱包品１０(図示せず)を梱包する梱包箱において、箱本体は下箱３０と該上箱２１からなり、該箱本体を該パレットに樹脂製バンド８０で固定されている。該上箱２１の側面板２２ａには切り取り線（ミシン目）２２を有し、該切り取り線２２に沿って切り取ると図６ｅに示すような平板形状の該スロープ部材原体４３を得る。同様にして該側面板２１ａに対向する側面板２２ｂに同様の切り取り線２２を入れ、更にもう１枚該スロープ部材原体４３を得られるようにしても良い。
図６ｅに示すように、該スロープ部材原体４３は、使用時に折り曲げ線４３ａ〜４３ｇに沿って折り曲げ、該スロープ部材原体４３の矩形孔４３ｊに凸部４３ｋを、矩形孔４３ｉに凸部４３ｈを差し込み、スリット４３ｍをスリット４３ｌに差し込み、スリット４３ｎをスリット４３ｏに差し込み、側面くさび形状の該スロープ部材４４を得る。
図６ｂ〜図６ｄに示すように、前記被梱包品１０を積み降ろしの際には、実施例１、実施例２と同様に、下箱３０の壁面３２を倒した後、該壁面３２の舌部３１を該スロープ部材４４に設けられた矩形孔４３ｚに差し込み該スロープ部材４４を固定する。また矩形孔４３ｚのかわりに接着テープやマジックテープ（登録商標）などの手段で、該スロープ部材を該下箱に固定しても良い。
【００１５】
前記スロープ部材４０、前記スロープ部材４２、および前記スロープ部材４４は段ボールを用いることができ、さらに前記スロープ部材４０、前記スロープ部材４２は紙管材も用いることができる。
該段ボールは、一重段ボール、二重段ボール、三重段ボール、片面段ボール、両面段ボール、複両面段ボールなど何れも用いることができ、また両面段ボールの厚みが５ｍｍ厚のＡフルート、３ｍｍ厚のＢフルート、１．５ｍｍ厚のＥフルート、０．８ｍｍ厚のＧフルートまた通常の波形段ボールであっても良いし、ハニカム状段ボールであってもよい。前記Ａフルートと前記Ｂフルートを貼り合せた８ｍｍ厚のＷフルート、前記Ａフルートを２段にした２層段ボールＡＡ段、前記Ａフルートを３段にした３層段ボールＡＡＡ段など前記被梱包品１０の重量などに応じ適宜選択すればよい。
【００１６】
該紙管材は、前記被梱包品の重量が約３０〜約１２０ｋｇであれば、４ｍｍ〜３０ｍｍの厚みがあれば良く、５ｍｍ〜２５ｍｍがより好ましく、６〜２０ｍｍが最も好まく、前記被梱包品１０の重量などに応じ適宜選択すればよい。
また前記スロープ部材に使われる段ボールや紙管材に用いる板紙としては市場にあるものを用いることができる。たとえば白板紙（白ボール、マニラボール）、チップボール、着色板紙何れも用いることができ、板紙の厚みは前記被梱包品１０の重量に応じて適宜選択すればよい。
【００１７】
前記上箱２１の側面板２２ａの切り取り線２２は、ミシン目やＶ溝による切れ目のほか、カットテープに沿って段ボールを切り取れるようにしても良い。
【図面の簡単な説明】
【００１８】
【図１】従来の梱包箱である
【図２】従来の梱包箱である
【図３】従来の梱包箱である
【図４】本発明の実施例１に関する斜視図である。
【図４ａ】本発明の実施例１に関する断面図である。
【図４ｂ】本発明の実施例１に関するスロープ部材の６面図である。
【図５】本発明の実施例２に関する斜視図である。
【図５ａ】本発明の実施例２に関する断面図である。
【図５ｂ】本発明の実施例２に関するスロープ部材原体の６面図である。
【図５ｃ】本発明の実施例２に関するスロープ部材の６面図である。
【図６】本発明の実施例３に関する斜視図である。
【図６ａ】本発明の実施例３に関する６面図である。
【図６ｂ】本発明の実施例３に関する使用状態図である。
【図６ｃ】本発明の実施例３に関する使用状態図である。
【図６ｄ】本発明の実施例３に関する使用状態図である。
【図６ｅ】本発明の実施例３に関するスロープ部材原体の６面図である。
【図６ｆ】本発明の実施例３に関するスロープ部材の６面図である。
【符号の説明】
【００１９】
１０              キャスターを有する機器（被梱包品）
２０、２１        上箱
２２              切り取り線
３０              下箱
４０、４２、４４  スロープ部材
４１、４３        スロープ部材原体
６０、６１、６２  緩衝材
７０              パレット
８０              樹脂製バンド
【図１】
2007191168.tif 000003
【図２】
2007191168.tif 000004
【図３】
2007191168.tif 000005
【図４】
2007191168.tif 000006
【図４ａ】
2007191168.tif 000007
【図４ｂ】
2007191168.tif 000008
【図５】
2007191168.tif 000009
【図５ａ】
2007191168.tif 000010
【図５ｂ】
2007191168.tif 000011
【図５ｃ】
2007191168.tif 000012
【図６】
2007191168.tif 000013
【図６ａ】
2007191168.tif 000014
【図６ｂ】
2007191168.tif 000015
【図６ｃ】
2007191168.tif 000016
【図６ｄ】
2007191168.tif 000017
【図６ｅ】
2007191168.tif 000018
【図６ｆ】
2007191168.tif 000019